(57)【要約】【課題】累積誤差の影響を受けることなく美感に優れた製品を容易且つ能率的に製作できるようにする。【解決手段】一対の縦框材３０，３１間に１個又は複数個の格子材３４〜３６を配置し、両縦框材３０，３１間に格子材３４〜３６を貫通する幅決め材３７を連結し、縦框材３０，３１と格子材３４〜３６との間、又は縦框材３０，３１と格子材３４〜３６との間及び格子材３４〜３６相互間で幅決め材３７の外周にスペーサ３８〜４１を套嵌し、各スペーサ３８〜４１を格子材３４〜３６に当接させて幅決め材３７に固定し、少なくとも一方の縦框材３０，３１は、縦框材３０，３１側のスペーサ３８〜４１を縦框材３０，３１内に挿通する挿通部５５，６１を備え、挿通部５５，６１に挿通されたスペーサ３８〜４１と少なくとも一方の縦框材３０，３１との間に幅決め材３７の長手方向の隙間を設ける。【選択図】  図３
2011017171.tif 000002
【特許請求の範囲】
【請求項１】
一対の框材（３０，３１）間に１個又は複数個の格子材（３４〜３６）を配置し、前記両框材（３０，３１）間に前記格子材（３４〜３６）を貫通する幅決め材（３７）を連結し、前記框材（３０，３１）と前記格子材（３４〜３６）との間、又は前記框材（３０，３１）と前記格子材（３４〜３６）との間及び前記格子材（３４〜３６）相互間で前記幅決め材（３７）の外周にスペーサ（３８〜４１）を装着し、該スペーサ（３８〜４１）を前記格子材（３４〜３６）に当接させた格子体において、少なくとも一方の前記框材（３０，３１）は、該框材（３０，３１）側の前記スペーサ（３８〜４１）を該框材（３０，３１）内に挿通する挿通部（５５，６１）を備え、該挿通部（５５，６１）に挿通された前記スペーサ（３８〜４１）と前記少なくとも一方の框材（３０，３１）との間に前記幅決め材（３７）の長手方向の隙間があることを特徴とする格子体。
【請求項２】
左右一対の縦框材（３０，３１）間に１個又は複数個の格子材（３４〜３６）を配置し、該格子材（３４〜３６）を貫通する幅決め材（３７）の両端を前記各縦框材（３０，３１）に連結し、前記縦框材（３０，３１）と前記格子材（３４〜３６）との間、又は前記縦框材（３０，３１）と前記格子材（３４〜３６）との間及び前記各格子材（３４〜３６）相互間で前記幅決め材（３７）の外周にスペーサ（３８〜４１）を套嵌した格子体において、前記各縦框材（３０，３１）は前記格子材（３４〜３６）と対向して配置された内側壁（５４）と、該内側壁（５４）に対して前記格子材（３４〜３６）と反対の外側に配置された外側壁（４６）とを備え、前記幅決め材（３７）の両端は前記各縦框材（３０，３１）の前記内側壁（５４）に形成された挿通部（５５，６１）を貫通して前記外側壁（４６）に固定し、前記各スペーサ（３８〜４１）は前記格子材（３４〜３６）の側面に当接し、一方の前記縦框材（３０，３１）に隣接する一方の前記スペーサ（３８〜４１）は前記挿通部（５５，６１）を経て該一方の縦框材（３０，３１）内に挿通し、前記一方のスペーサ（３８〜４１）は前記一方の縦框材（３０，３１）の前記外側壁（４６）との間に前記幅決め材（３７）の長手方向の隙間を置いて前記幅決め材（３７）に固定したことを特徴とする格子体。
【請求項３】
左右一対の縦框材（３０，３１）間に１個又は複数個の格子材（３４〜３６）を配置し、該格子材（３４〜３６）を貫通する幅決め材（３７）の両端を前記各縦框材（３０，３１）に連結し、前記縦框材（３０，３１）と前記格子材（３４〜３６）との間、又は前記縦框材（３０，３１）と前記格子材（３４〜３６）との間及び前記各格子材（３４〜３６）相互間で前記幅決め材（３７）の外周にスペーサ（３８〜４１）を套嵌した格子体において、前記各縦框材（３０，３１）は前記格子材（３４〜３６）と対向して配置された内側壁（５４）と、該内側壁（５４）に対して前記格子材（３４〜３６）と反対の外側に配置された外側壁（４６）とを備え、前記幅決め材（３７）の両端は前記各縦框材（３０，３１）の前記内側壁（５４）に形成された挿通部（５５，６１）を貫通して前記外側壁（４６）に固定し、前記各スペーサ（３８〜４１）は前記格子材（３４〜３６）の側面に当接し、前記各縦框材（３０，３１）に隣接する両端の前記スペーサ（３８〜４１）は前記各縦框材（３０，３１）の前記挿通部（５５，６１）を経て前記各縦框材（３０，３１）内に挿通し、前記両端のスペーサ（３８〜４１）は前記各縦框材（３０，３１）の前記外側壁（４６）との間に前記幅決め材（３７）の長手方向の隙間を置いて前記幅決め材（３７）に固定したことを特徴とする格子体。
【請求項４】
左右両端が前記各縦框材（３０，３１）の上下両端に連結され且つ中間が前記格子材（３４〜３６）の上下両端に連結された上下一対の横框材（３２，３３）を備え、前記格子材（３４〜３６）の側壁部から上下両側に突出する前壁部と後壁部との間に前記各横框材（３２，３３）が嵌合したことを特徴とする請求項２又は３に記載の格子体。
【請求項５】
前記各縦框材（３０，３１）は前記外側壁（４６）に対して前記格子材（３４〜３６）と反対側の上下方向の略全長に、縦軸心廻りに折り畳み自在に連結するためのヒンジ部（１５）の一方の構成部材を一体に備えたことを特徴とする請求項２〜４の何れかに記載の格子体。
【発明の詳細な説明】
【技術分野】
【０００１】
本発明は、建物、車庫の出入口用の折り畳み扉等に利用される格子体の改良に関するものである。
【背景技術】
【０００２】
建物、車庫の出入口等に設置する折り畳み扉には、ヒンジ枠の左右両側に一対のヒンジ部を備えた２点式のヒンジ手段により複数枚の扉体を交互に折り畳み自在に連結して扉本体を構成し、この扉本体を懸架レールに沿って走行する走行手段を介して懸架し、扉本体の折り畳み時に各扉体を吊り元端側に移動させて吊り元端側から順次２枚ずつ折り畳み、扉本体の伸長時に各扉体を移動端側から順次２枚ずつ伸長させるようにしたものがある（特許文献１）。
【０００３】
一方、面格子等の格子体には、左右一対の縦框材と、この各縦框材の上下両端を左右に連結する上下一対の横框材とを備え、上下両端が各横框材に連結された複数個の格子材を両縦框材間に配置すると共に、両縦框材の上下方向の中間部を、各格子材を左右方向に貫通する幅決め材によりに連結し、各縦框材と格子材間及び格子材相互間で幅決め材の外周にスペーサを套嵌したものがある（特許文献２）。
【先行技術文献】
【特許文献】
【０００４】
【特許文献１】特開２００３−２５３９６６号公報
【特許文献２】実公昭５８−２００７８号公報
【発明の概要】
【発明が解決しようとする課題】
【０００５】
この種の格子体では、格子材、スペーサの数が増加すると、その各誤差が累積して扉体全体の左右の寸法が安定し難いという欠点がある。即ち、格子体の上下両端側の左右幅は縦框材と横框材との寸法で決まるが、上下方向の中間部の左右幅には縦框材と幅決め材との寸法の他に、格子材とスペーサとの寸法が関係する。そして、格子材、スペーサの誤差がプラス側に振れると、幅決め材の寸法が横框材と同じ場合でも、その格子材、スペーサの誤差の累積により、格子体の中間部の左右幅が上下両端の左右幅よりも大になり、また誤差がマイナス側に振れると、格子材とスペーサとの間に隙間ができることになる。
【０００６】
このため従来の格子体では、格子材、スペーサの数が増加すると、その各誤差の累積によって美感が大きく損なわれる欠点があり、扉体の製作に際しては、各部材の寸法を厳密に管理しなければならず、その結果、作業能率が著しく低下するという問題がある。
【０００７】
また従来の格子体を折り畳み扉の扉体に採用し、その扉体の左右両端の縦框材に上下方向の全長にわたるヒンジ部を一体に設けて、そのヒンジ部を中心として扉体を折り畳むようにした場合には、格子材、スペーサの誤差の累積によって扉体の上下方向の中間部分の左右幅が大になれば、それによってヒンジ部が中間部分で曲がることになるため、単に美感が損なわれるばかりでなく扉体の折り畳み動作に支障を来す惧れがある。
【０００８】
本発明は、このような従来の課題に鑑み、累積誤差の影響を受けることなく美感に優れた製品を容易且つ能率的に製作できる格子体を提供することを目的とする。
【課題を解決するための手段】
【０００９】
本発明は、一対の框材３０，３１間に１個又は複数個の格子材３４〜３６を配置し、前記両框材３０，３１間に前記格子材３４〜３６を貫通する幅決め材３７を連結し、前記框材３０，３１と前記格子材３４〜３６との間、又は前記框材３０，３１と前記格子材３４〜３６との間及び前記格子材３４〜３６相互間で前記幅決め材３７の外周にスペーサ３８〜４１を装着し、該スペーサ３８〜４１を前記格子材３４〜３６に当接させた格子体において、少なくとも一方の前記框材３０，３１は、該框材３０，３１側の前記スペーサ３８〜４１を該框材３０，３１内に挿通する挿通部５５，６１を備え、該挿通部５５，６１に挿通された前記スペーサ３８〜４１と前記少なくとも一方の框材３０，３１との間に前記幅決め材３７の長手方向の隙間を設けたものである。
【００１０】
また別の本発明は、左右一対の縦框材３０，３１間に１個又は複数個の格子材３４〜３６を配置し、該格子材３４〜３６を貫通する幅決め材３７の両端を前記各縦框材３０，３１に連結し、前記縦框材３０，３１と前記格子材３４〜３６との間、又は前記縦框材３０，３１と前記格子材３４〜３６との間及び前記各格子材３４〜３６相互間で前記幅決め材３７の外周にスペーサ３８〜４１を套嵌した格子体において、前記各縦框材３０，３１は前記格子材３４〜３６と対向して配置された内側壁５４と、該内側壁５４に対して前記格子材３４〜３６と反対の外側に配置された外側壁４６とを備え、前記幅決め材３７の両端は前記各縦框材３０，３１の前記内側壁５４に形成された挿通部５５，６１を貫通して前記外側壁４６に固定し、前記各スペーサ３８〜４１は前記格子材３４〜３６の側面に当接し、一方の前記縦框材３０，３１に隣接する一方の前記スペーサ３８〜４１は前記挿通部５５，６１を経て該一方の縦框材３０，３１内に挿通し、前記一方のスペーサ３８〜４１は前記一方の縦框材３０，３１の前記外側壁４６との間に前記幅決め材３７の長手方向の隙間を置いて前記幅決め材３７に固定したものである。
【００１１】
更に別の本発明は、左右一対の縦框材３０，３１間に１個又は複数個の格子材３４〜３６を配置し、該格子材３４〜３６を貫通する幅決め材３７の両端を前記各縦框材３０，３１に連結し、前記縦框材３０，３１と前記格子材３４〜３６との間、又は前記縦框材３０，３１と前記格子材３４〜３６との間及び前記各格子材３４〜３６相互間で前記幅決め材３７の外周にスペーサ３８〜４１を套嵌した格子体において、前記各縦框材３０，３１は前記格子材３４〜３６と対向して配置された内側壁５４と、該内側壁５４に対して前記格子材３４〜３６と反対の外側に配置された外側壁４６とを備え、前記幅決め材３７の両端は前記各縦框材３０，３１の前記内側壁５４に形成された挿通部５５，６１を貫通して前記外側壁４６に固定し、前記各スペーサ３８〜４１は前記格子材３４〜３６の側面に当接し、前記各縦框材３０，３１に隣接する両端の前記スペーサ３８〜４１は前記各縦框材３０，３１の前記挿通部５５，６１を経て前記各縦框材３０，３１内に挿通し、前記両端のスペーサ３８〜４１は前記各縦框材３０，３１の前記外側壁４６との間に前記幅決め材３７の長手方向の隙間を置いて前記幅決め材３７に固定したものである。
【００１２】
なお、左右両端が前記各縦框材３０，３１の上下両端に連結され且つ中間が前記格子材３４〜３６の上下両端に連結された上下一対の横框材３２，３３を備え、前記格子材３４〜３６の側壁部から上下両側に突出する前壁部と後壁部との間に前記各横框材３２，３３が嵌合したものでもよい。また前記各縦框材３０，３１は前記外側壁４６に対して前記格子材３４〜３６と反対側の上下方向の略全長に、縦軸心廻りに折り畳み自在に連結するためのヒンジ部１５の一方の構成部材を一体に備えたものでもよい。
【発明の効果】
【００１３】
本発明では、格子材３４〜３６、スペーサ３８〜４１の累積誤差の影響を受けることなく美感に優れた製品を容易且つ能率的に製作できる利点がある。
【図面の簡単な説明】
【００１４】
【図１】本発明の第１の実施形態を示す折り畳み扉の正面図である。
【図２】同折り畳み扉の平面図である。
【図３】同扉体の一部破断正面図である。
【図４】同扉体の平面断面図である。
【図５】同要部の正面断面図である。
【図６】同要部の側面断面図である。
【図７】同要部の正面断面図である。
【図８】同要部の側面断面図である。
【図９】同組み立て方法を示す説明図である。
【図１０】本発明の第２の実施形態を示す一部破断正面図である。
【図１１】同平面断面図である。
【図１２】本発明の実施例を示す格子体の正面図である。
【図１３】同要部の平面断面図である。
【発明を実施するための形態】
【００１５】
以下、本発明の実施形態を図面に基づいて詳述する。図１〜図９は車庫用の片開き式の折り畳み扉に採用した本発明の第１の実施形態を例示する。図１、図２において、１は吊り元支柱、２は戸当たり支柱で、これら吊り元支柱１及び戸当たり支柱２は出入口の左右両側で地面３に立設されている。４は上枠で、吊り元支柱１と戸当たり支柱２の上端間に略水平に架設されている。この上枠４の下側には、吊り元支柱１と戸当たり支柱２間の略全長に亘って懸架レール５が装着されている。
【００１６】
７は扉本体であり、この扉本体７は左右両端の吊り元側端枠８及び戸当たり側端枠（移動側端枠）９と、この両端枠８，９間に左右方向に配置された例えば６枚（４枚以上の偶数枚）の扉体１０ａ〜１０ｆと、これらをジグザグ状に交互に折り畳み自在に連結する７組のヒンジ手段１２ａ〜１２ｅ、１３ａ，１３ｂとを備えている。
【００１７】
隣接する扉体１０ａ〜１０ｆ同士は、図４にヒンジ手段１２ｅを示すように、ヒンジ枠１４の左右両側にヒンジ部１５を有する２点式のヒンジ手段１２ａ〜１２ｅにより、ヒンジ部１５の中心廻りに折り畳み自在に連結されている。また両端の扉体１０ａ，１０ｆは、図４にヒンジ手段１３ｂを示すように、１個のヒンジ部１６を有する１点式のヒンジ手段１３ａ，１３ｂにより、そのヒンジ部１６の中心廻りに各端枠８，９に対して折り畳み自在に連結されている。
【００１８】
なお、２点式の各ヒンジ手段１２ａ〜１２ｅのヒンジ枠１４は、図４に示すように、一方のヒンジ部１５を有する第１枠体１４ａと、他方のヒンジ部１５を有する第２枠体１４ｂとを備え、その両枠体１４ａ，１４ｂをネジ等により前後方向に着脱自在に結合して構成しているが、両枠体１４ａ，１４ｂを一体に構成してもよい。
【００１９】
扉本体７は、図１、図２に示すように、懸架レール５に沿って走行する走行手段１７ａ〜１７ｄを介して上枠４側に懸架され、下端側の振れ止め突起１８ａ〜１８ｄが地面３上に敷設された振れ止めレール１９に沿って案内されている。走行手段１７ａ〜１７ｄは、扉本体７の両端の端枠８，９と、吊り元側から偶数番目のヒンジ手段１２ｂ，１２ｄとの上側に配置されており、連結軸２０を介して端枠８，９、ヒンジ手段１２ｂ，１２ｃに連結されている。
【００２０】
扉本体７の上端側には、図１、図２に示すように、その裏側（敷地内側）に規制ローラ２１ａ〜２１ｃ、係脱ローラ２２ａ〜２２ｃが設けられている。また懸架レール５の裏側には、扉本体７の伸長状態で係脱ローラ２２ａ〜２２ｃが係合する係合部材２３ａ，２３ｂと、扉本体７の伸長時に規制ローラ２１ａ〜２１ｃに係合して伸長対象の２枚の扉体１０ａ，１０ｂ、１０ｃ，１０ｄ、１０ｅ，１０ｆの内の吊り元側の扉体１０ａ，１０ｃ，１０ｅの戸当たり側への移動を規制する規制部材２４ａ，２４ｂと、扉本体７の折り畳み時に係合部材２３ａ，２３ｂから外れた係脱ローラ２２ａ〜２２ｃを裏側へと蹴り出す蹴り出し部材２５ａ，２５ｂと、扉本体７の伸長時に係脱ローラ２２ａ〜２２ｃを係合部材２３ａ，２３ｂ内に蹴り込む蹴り込み部材２６ａ，２６ｂとが設けられている。
【００２１】
そして、これらの協働作用により、扉本体７の折り畳み時には各扉体１０ａ〜１０ｆを吊り元側に移動させて、吊り元側の小範囲Ｍ内で裏側に突出すべく各扉体１０ａ〜１０ｆを吊り元側から順次２枚ずつ折り畳み、扉本体７の伸長時にはその小範囲Ｍ内で各扉体１０ａ〜１０ｆを戸当たり側から順次２枚ずつ伸長させるようになっている。端枠８，９の上端には走行手段１７ａ，１７ｂの他に、懸架レール５に案内される廻り止め突起２７が設けられている。なお、２８は把手である。
【００２２】
各扉体１０ａ〜１０ｆは縦長矩形状の格子体により構成されている。即ち、各扉体１０ａ〜１０ｆは、図３、図４に移動端側の扉体１０ｆ用の格子体を例示するように、上下方向に配置された左右一対の縦框材３０，３１と、この縦框材３０，３１の上下両端を左右に連結する上下一対の横框材３２，３３と、両縦框材３０，３１間に左右方向に略等間隔を置いて配置され且つ上下両端が各横框材３２，３３に連結された１個又は複数個、例えば３個の格子材３４〜３６と、上下方向の略中央で格子材３４〜３６を左右に貫通し且つ一対の縦框材３０，３１間を連結する幅決め材３７と、格子材３４〜３６間及び格子材３４，３６と各縦框材３０，３１間で幅決め材３７の外周に套嵌されたスペーサ３８〜４１とを有する。
【００２３】
各ヒンジ部１５，１６は、図４に示すように、外周に縦軸心廻りの回動面を有するＣ字状のヒンジ軸４２と、このヒンジ軸４２の外周に套嵌され且つ回動面を介してヒンジ軸４２を縦軸心廻りに相対回動自在に抱持する抱持部４３とを有する。そして、ヒンジ軸４２は２点式の各ヒンジ手段１２ａ〜１２ｅでは支持壁４４を介してヒンジ枠１４に一体に形成され、また１点式のヒンジ手段１３ａ，１３ｂでは支持壁４４を介して戸当たり側端枠９又は吊り元側端枠８に一体に形成されている。抱持部４３は各扉体１０ａ〜１０ｆの縦框材３０，３１に一体に設けられている。なお、ヒンジ部１５を構成するヒンジ軸４２と抱持部４３との構成部材の内、その何れか一方の構成部材を縦框材３０，３１に設ければ良い。
【００２４】
縦框材３０，３１は、図４に示すように、矩形状等の筒状部４５と、この筒状部４５に対して扉体幅方向の外側の外側壁４６と一体に形成された抱持部４３とを有する。横框材３２，３３は、図５、図６に横框材３２側を示すように縦長矩形状であって、内部に上下２個のネジ螺合部４７を有し、扉体幅方向の外側から縦框材３０，３１の外側壁４６に挿通されてネジ螺合部４７に螺合する２個のネジ４８により縦框材３０，３１に連結されている。
【００２５】
格子材３４〜３６は、図３、図５、図６に示すように、内部に左右２個のネジ螺合部４９を有する矩形筒状であって、この格子材３４〜３６の上下両端にはその前後壁が側壁部５１よりも突出する突出部５０が設けられており、その前後の突出部５０間に横框材３２，３３が嵌合している。突出部５０の高さは横框材３２，３３の上下幅に対応しており、その先端が横框材３２，３３の係合縁３２ａ，３３ａに係合している。
【００２６】
各格子材３４〜３６の上端は、図５に示すように、上下両側から下壁部３２ｂ、上壁部３３ｂに挿通されてネジ螺合部４９に螺合する２個のネジ５２により各横框材３２，３３に連結されている。なお、ネジ５２は各横框材３２，３３に予め形成された通孔を経て挿入されている。各縦框材３０，３１の上下両端も、各横框材３２，３３と同様に筒状部４５の一部が切除されている。
【００２７】
幅決め材３７は図７、図８に示すように縦長矩形筒状であって、内部に上下２個のネジ螺合部５３を有する。そして、この幅決め材３７は各格子材３４〜３６に形成された通孔３４ａ〜３６ａを貫通すると共に、その両端部が各縦框材３０，３１の内側壁５４に形成された挿通孔５５を貫通して縦框材３０，３１内に挿通され、左右方向の両側から外側壁４６に挿通されてネジ螺合部５３に螺合するネジ５６により各外側壁４６に連結し固定されている。
【００２８】
各スペーサ３８〜４１は、図７、図８に示すように、幅決め材３７に外嵌する矩形筒状である。各格子材３４〜３６間に配置されたスペーサ３９，４０は、格子材３４〜３６間の間隔に略一致する長さになっており、その両端が各格子材３４〜３６に当接されている。一方、各縦框材３０，３１と格子材３４，３６との間に配置されたスペーサ３８，４１は、図７にスペーサ４１側を示すように両者間の間隔よりも長くなっている。
【００２９】
そして、このスペーサ３８，４１はその一端側が格子材３４，３６に当接され、また他端側が縦框材３０，３１の挿通孔５５を経て縦框材３０，３１内に挿通され、外側壁４６側との間に所定の隙間を置いて外側壁４６と対向している。各スペーサ３８〜４１は下側から螺合されたタッピングネジ等のネジ５８により幅決め材３７に固定されている。
【００３０】
このような構成の扉体１０ａ〜１０ｆを製作する場合には、先ず格子材３４〜３６間にスペーサ３８〜４１を介在しながら幅決め材３７を各格子材３４〜３６に挿通する。そして、その後、各格子材３４〜３６の上下両端の一対の突出部５０間に横框材３２，３３を嵌合し、予め形成された取り付け孔から挿入したネジ５２をネジ螺合部４９に螺合することにより、各格子材３４〜３６の上下両端に各横框材３２，３３を固定する。このようにすれば、各格子材３４〜３６と横框材３２，３３との連結部分の美感が向上し、また連結強度も向上する。
【００３１】
次に各横框材３２，３３の左右両端を各縦框材３０，３１の上下両端に嵌合して、予め形成された取り付け孔から挿入したネジ４８をネジ螺合部４７に螺合することにより、各縦框材３０，３１と横框材３２，３３とを連結し固定する。
【００３２】
縦框材３０，３１と横框材３２，３３との連結が完了すれば、図９に示す順序で幅決め材３７に対して縦框材３０，３１、スペーサ３８〜４１を固定する。このとき幅決め材３７の左右両端が各縦框材３０，３１の内側壁５４の挿通孔５５に挿通された状態にあるので、先ず図９（Ａ）に示すように、縦框材３０，３１の外側壁４６に形成された取り付け孔からネジ螺合部５３にネジ５６を螺合して、幅決め材３７の両端に各縦框材３０，３１を固定する。
【００３３】
次に図９（Ｂ）に示すように、右端側のスペーサ４１を幅決め材３７の所定の固定位置に固定する。この場合、幅決め材３７と右端側のスペーサ４１には、スペーサ４１の幅決め材３７に対する固定位置に応じて予め取り付け孔３７ａ，４１ａが形成されている。そこで、右端側のスペーサ４１を内側壁５４の挿通孔５５に挿通した状態で、幅決め材３７とスペーサ４１との取り付け孔３７ａ，４１ａを合わせてネジ５８を螺合することにより、スペーサ４１を幅決め材３７の所定位置に固定する。勿論、スペーサ４１と縦框材３１の外側壁４６との間には所定の隙間ができた状態となる。
【００３４】
続いて図９（Ｃ）に示すように、２番目のスペーサ４０を格子材３６の側面に当接して右方向（ａ矢示方向）に押しながら、この２番目のスペーサ４０をネジ５８により幅決め材３７に固定する。同様にして図９（Ｄ）に示すように３番目のスペーサ３９、４番目のスペーサ３８を順次右方向（ｂ及びｃ矢示方向）に押しながら、各スペーサ３８，３９を幅決め材３７に固定する。
【００３５】
なお、スペーサ３８用の取り付け孔３７ａ，４１ａ以外は、予め設けておく必要がない。またこの実施形態では、各スペーサ３８〜４１をネジ５８により幅決め材３７に直接固定しているが、両端のスペーサ３８，４１をネジ５８により幅決め材３７に直接固定し、中間のスペーサ３９，４０は格子材３４〜３６、スペーサ３８，４１を介して幅決め材３７に間接的に固定してもよい。更に中間の複数のスペーサ３９，４０については、その一部、即ち何れか一方はネジ５８で直接固定し、他方は間接的に固定する構造を採用してもよい。また固定具はネジ５８以外のもの、例えばリベットでもよい。
【００３６】
このようにすれば各スペーサ３８〜４１は各格子材３４〜３６の側面に当接するため、格子材３４〜３６相互間の間隔は中間のスペーサ３９，４０の長さに一致する。一方、両端のスペーサ３８，４１は格子材３４，３６に当接した状態で幅決め材３７に固定されているが、左右の縦框材３０，３１との関係では幅決め材３７と一緒に各縦框材３０，３１の内側壁５４の挿通孔５５に挿通された状態にあり、しかもそのスペーサ３８，４１と外側壁４６との間には幅決め材３７の長手方向に隙間があるため、格子材３４〜３６、スペーサ３８〜４１に多少の寸法のバラツキがあっても、両端のスペーサ３８，４１と各縦框材３０，３１の外側壁４６との間の隙間によって吸収することができる。
【００３７】
従って、横框材３２，３３と幅決め材３７との長さが一致すれば、格子材３４〜３６、スペーサ３８〜４１の誤差の累積に関係なく扉体１０ａ〜１０ｆの上下方向の略中央部の左右幅を上下両端の左右幅に一致させることができる。このため扉体１０ａ〜１０ｆの美感が向上し、また格子材３４〜３６、スペーサ３８〜４１の寸法を厳密に管理する必要がなく、容易且つ能率的に扉体１０ａ〜１０ｆを製作できる利点がある。
【００３８】
しかも横框材３２，３３と幅決め材３７との長さが一致すれば、格子材３４〜３６、スペーサ３８〜４１の誤差に関係なく扉体１０ａ〜１０ｆに上下両側と中央部との左右幅が一致して各縦框材３０，３１が真っ直ぐとなるので、各縦框材３０，３１に一体にヒンジ部１５，１６のヒンジ軸４２等があるにも拘わらず、ヒンジ部１５，１６での各扉体１０ａ〜１０ｆの折り畳み動作に支障を来すこともない。
【００３９】
図１０、図１１は本発明の第２の実施形態を例示する。この実施形態では、左右両端のスペーサ３８，４１の内、一方のスペーサ４１は挿通孔５５に挿通されているが、他方のスペーサ３８は縦框材３０の内側壁５４に当接されており、縦框材３０内には挿通されていない。
【００４０】
各スペーサ３８〜４１はネジ５８により幅決め材３７に固定されているが、そのネジ５８にはタッピングネジが使用されており、第１の実施形態の取り付け孔３７ａ，４１ａに相当するものはない。従って、第１の実施形態のように予め幅決め材３７、スペーサ４１に取り付け孔３７ａ，４１ａを設けておく必要がない。他の構成は第１の実施形態と同じである。
【００４１】
この格子体の製作に際しては、幅決め材３７の左右両端に各縦框材３０，３１を固定した後、例えば当接側である左端側のスペーサ３８を縦框材３０の内側壁に５４に押し付けながら、その下側からネジ５８を螺合してスペーサ３８を幅決め材３７に固定する。以下同様にして左から２番目、３番目、４番目の各スペーサ３９〜４１を順次幅決め材３７に固定する。
【００４２】
なお、この実施形態でも、各スペーサ３８〜４１をネジ５８により幅決め材３７に直接固定しているが、縦框材３１の挿通孔５５に挿通する右端のスペーサ４１のみをネジ５８により幅決め材３７に直接固定し、他のスペーサ３８〜４０のネジ５８は省略してもよい。また縦框材３１の挿通孔５５に挿通するスペーサ４１と、他の複数のスペーサ３８〜４０の内の一部とをネジ５８で幅決め材３７に固定してもよい。また固定具はネジ５８に代替してリベットを使用してもよい。
【００４３】
この場合にも、縦框材３１の挿通孔５５に挿通する右端のスペーサ４１を幅決め材３７に固定することにより、スペーサ３８〜４１により縦框材３０，３１、格子材３４〜３６間の間隔を規制するにも拘わらず、右端のスペーサ４１と縦框材３１の外側壁４６との間の隙間により、スペーサ３８〜４１、格子材３４〜３６の寸法のバラツキを吸収することができる。なお、スペーサ４１を縦框材３１に当接し、スペーサ３８を縦框材３０の挿通孔５５に挿通してもよい。
【００４４】
図１２、図１３は本発明の第３の実施形態を例示する。この格子体は間仕切りその他に使用するためのもので、左右の各縦框材３０，３１は内側壁５４と外側壁４６との中間に中間壁６０を備え、内側壁５４に縦溝６１が形成されている。幅決め材３７の左右両端は内側壁５４の縦溝６１から縦框材３０，３１内に挿入して中間壁６０に当接され、外側壁４６の通孔から中間壁６０に挿通されたネジ５６により中間壁６０に固定されている。
【００４５】
各スペーサ３８〜４１は第１の実施形態と同様にネジ５８により幅決め材３７に固定されている。左右のスペーサ３８〜４１は内側壁５４の縦溝６１を介して縦框材３０，３１内に挿通され、その中間壁６０との間に所定の間隔をおいて幅決め材３７に固定されている。
【００４６】
なお、各スペーサ３８〜４１をネジ５８により幅決め材３７に直接固定する他、両端のスペーサ３８，４１のみをネジ５８により幅決め材３７に直接固定し、中間のスペーサ３９，４０は格子材３４〜３６、スペーサ３８，４１を介して幅決め材３７に間接的に固定してもよい。更に中間の複数のスペーサ３９，４０については、その一部、即ち何れか一方はネジ５８で直接固定し、他方は間接的に固定する構造を採用してもよい。固定具はネジ５８以外のもの、例えばリベットでもよい。
【００４７】
このように左右のスペーサ３８〜４１を縦框材３０，３１内に挿通する場合には、縦框材３０，３１の縦溝６１を挿通部とし、その縦溝６１を経て縦框材３０，３１内に挿通しても良い。従って、挿入部は縦框材３０，３１の内側壁５４に形成された挿通孔５５のみに限定されるものではない。
【００４８】
以上、本発明の各実施形態について詳述したが、本発明は各実施形態に限定されるものではない。実施形態では折り畳み扉の扉体１０ａ〜１０ｆ用の格子体と、間仕切り用の格子体とについて例示しているが、これら以外の各種のエクステリア用の格子体にも採用可能である。折り畳み扉の場合にも、吊り下げ式の他、地上走行式でもよい。
【００４９】
また実施形態では、縦框材３０，３１間に複数個の格子材３４〜３６を配置し、上下方向の中央に１本の幅決め材３７を配置したものを例示しているが、その格子材３４〜３６の数、幅決め材３７の数、位置は必要に応じて適宜決定すれば良い。
【００５０】
更にスペーサ３８〜４１が３個以上ある場合には、両端のスペーサ３８〜４１を幅決め材３７に直接固定するだけでも良い。また２個以上の複数個のスペーサ３８〜４１の内、縦框材３０，３１内に挿入される側のスペーサ３８，４１のみを固定具を介して幅決め材３７に固定しても良い。格子体の用途によっては、一対の縦框材３０，３１を左右に連結する幅決め材３７を上下方向に複数個設けて、上下両端の横框材３２，３３を省略しても良い。上下一対の横框材３２，３３間に格子材３４〜３６を横方向に配置してもよい。
【００５１】
複数個のスペーサ３８〜４１は各実施形態に例示するように略同一断面形状である必要はなく、スペーサ３８〜４１の前部又は一部に外周側の形状の異なるもの使用して装飾性を持たせてもよい。またスペーサ３８〜４１は幅決め材３７に装着可能な断面形状であればよく、必ずしも筒状に構成する必要はない。例えば幅決め材３７に対して前後両側から装着される複数の部材によりスペーサ３８〜４１を構成し、その各部材を適当箇所でネジ５８等により幅決め材３７に固定するようにしてもよい。
【符号の説明】
【００５２】
１５  ヒンジ部
３０，３１  縦框材
３２，３３  横框材
３４〜３６  格子材
３７  幅決め材
３８〜４１  スペーサ
４６  外側壁
５４  内側壁
５５  挿通孔（挿通部）
６１  縦溝（挿通部）
【図１】
2011017171.tif 000003
【図２】
2011017171.tif 000004
【図３】
2011017171.tif 000005
【図４】
2011017171.tif 000006
【図５】
2011017171.tif 000007
【図６】
2011017171.tif 000008
【図７】
2011017171.tif 000009
【図８】
2011017171.tif 000010
【図９】
2011017171.tif 000011
【図１０】
2011017171.tif 000012
【図１１】
2011017171.tif 000013
【図１２】
2011017171.tif 000014
【図１３】
2011017171.tif 000015